(57)【要約】【課題】基布そのものを薄くて軽い立体形状を有する編布に編成し、さらに横方向への伸縮性を付与した、優れた使い心地を有する経編カバーリング材を提供すること。【解決手段】  経編み機で合成繊維フィラメントと紡績糸を鎖状に編み、緯糸に合成繊維紡績糸を使用して編成された基布において、収縮弾性糸が基布の鎖状結節点を緯度又は経度、又は緯度及び経度を一つ以上跳び編成して挿入されて基布表面に凹凸を有し、別筬で挿入した弾性糸によって横方向が蛇腹状に形成した。また、少なくとも片面を起毛加工した。【選択図】図２
2019034000.tif 000002
【特許請求の範囲】
【請求項１】
経編み機で合成繊維フィラメントと紡績糸を鎖状に編み、緯糸に合成繊維紡績糸を使用して編成された基布において、
収縮弾性糸が基布の鎖状結節点を緯度又は経度、又は緯度及び経度を一つ以上跳び編成して挿入されて基布表面に凹凸を有し、
別筬で挿入した弾性糸によって横方向が蛇腹状に形成されていることを特徴とするカバーリング用経編布帛。
【請求項２】
少なくとも片面が起毛加工されていることを特徴とする請求項１記載のカバーリング用経編み起毛布帛。
【発明の詳細な説明】
【技術分野】
【０００１】
本発明は経編みで編成された、横方向に伸縮性を有する布帛を使用して得られる寝具類や椅子・ソファーの表皮材に関し、特に空気を含んで軽くて保温性に優れるカバーリング材に関する。
【背景技術】
【０００２】
従来、経編機で編成される寝具やソファー等のカバーリング材としてはパイル地が知られている。また、保温性を付与するために綿糸や羊毛糸からなる織地に起毛加工等を施したものなどが知られている。
【先行技術文献】
【特許文献】
【０００３】
【特許文献１】特開２０１６−１６８１４１号公報
【発明の概要】
【発明が解決しようとする課題】
【０００４】
織機を使用して製作される寝具のカバーリング材は密度が高く、気密性に富む一方で伸縮性に欠ける。
【０００５】
また、冬場はマイヤー毛布地等、ラッセル編地二枚を貼り合わせて成る寝具カバーもあり、毛布自体の保温性には優れるものの必然的に重量が重くなり、冬場の嵩高い寝具と相まって身体への負担が大きい。
【０００６】
また、厚手のカバーリング材はクリーニングに出すことが多くメンテナンスにコストがかかり、家庭で洗濯できる場合であっても一度に一枚ずつ程度しか洗濯機に投入できず乾燥も容易ではない。
【０００７】
そこで、本願では基布そのものを薄くて軽い立体形状を有する編布に編成し、さらに横方向への伸縮性を付与した、優れた使い心地を有する経編カバーリング材を提供することを目的とする。
【課題を解決するための手段】
【０００８】
経編み機で鎖状に編まれた糸と緯挿入糸の鎖状結節点に高収縮糸を跳び編成を行うことで表面に凹凸を有する基布を編成すると同時に別筬を使用して、一定間隔でゴム状の弾性糸を導糸しながら横方向に蛇腹状に伸縮する基布を作成する。
【０００９】
この基布の片面に所定のテンションを掛けて針布で表面を掻き出して起毛させるのである。
【発明の効果】
【００１０】
地組織となる生地が浮かし跳び編成を行うことで密度の粗い編地となっているため編地の空隙が多く柔軟性を有し、さらに、凹凸を有する立体構造であるため空気層を含んで薄く且つ軽く、保温性に優れる。この生地の表面をさらに起毛させることで風合いが柔らかくソフトになり、柔軟性に富むのである。
【００１１】
基布表面の微細な凹凸が接触抵抗を高めているため、衣服、パジャマ、布団とのずれを生じさせにくくし、その結果身体への密着度が高まるため保温性が高い。
【００１２】
又、横方向にゴム糸を挿入することで、蛇腹状にギャザーを有する製品に仕上がり、横方向に大きく伸縮するため寝具や椅子、ソファー等を覆う表皮材として使用したときに寝具やソファー本体に沿って隙間ができずフィット感に優れる。特に布団カバーに使用したとき、そのストレッチ性により布団の泳ぎを防ぎ、布団本来のボリュームをキープすることができるのである。
【００１３】
基布が薄くて軽いため、家庭での洗濯、乾燥が容易となり、寝具類のカバーリング材として常に清潔を保てる。
【００１４】
伸縮性を有するため、マットレス又は敷き布団等への装着が容易である。
【００１５】
薄くて軽いため、収納時に嵩張らない。
【００１６】
従来の経編み機を使用して最大幅約３ｍの生地を編成できるためあらゆるサイズの寝具や椅子、ソファー等に対応可能であり、また全自動で機械編みするので製造コストを抑えることができる。  
【図面の簡単な説明】
【００１７】
【図１】請求項１記載の基布の地組織の拡大編成図。
【図２】本発明に係る布団カバーの平面図。
【発明を実施するための形態】
【００１８】
次に、本願の最適な実施形態について図面を参照しながら詳細に説明する。
【００１９】
図１が、請求項１記載の経編カバーリング布帛の地組織の編成方法を示す図面である。
【００２０】
地組織１は、鎖編糸２及びこの鎖編み糸２を繋ぐ挿入糸３で編成する。ここにポリウレタン系弾性繊維等の高収縮性弾性糸４を緯度において一定間隔以上斜線を描くように浮かし跳び編成を行う。弾性糸４の収縮によって、表面に細かい凹凸が形成された立体的な編布を形成するのである。
【００２１】
浮かし跳び編成を行うことで編成密度を粗くするとともに、地組織に伸縮する糸を直接編み込んで生地そのものに凹凸を付与することで、表面の接触抵抗が大きくなり、体や寝具とのずれが生じにくくなる。また、凹凸によって形成された空気層が保温性を高める役割も果たしている。
【００２２】
高収縮性弾性糸４は隣接する鎖編糸２と緯挿入糸３との繋がりを取りながら給糸されるが、この時、寝具の縦方向の長さ約２ｍにわたり同じ収縮倍率となるように均一にテンションを掛けて凹凸を生じさせることが重要である。
【００２３】
また、高収縮弾性糸４を導くガイドの間隔を調整することで表面の凹凸の高さを変化させて基布の厚みを調整することができる。
【００２４】
高伸縮性弾性糸に高捲縮コンジュゲート糸を用いて、製造過程で高周波振動を与えながら高温風をあてることでより立体的な製品が出来上がる。この振動条件と温風の条件によって柔軟性に変化を持たせることができる。
【００２５】
本願の基布作成には、合繊フィラメントと合繊紡績糸、天然繊維からなる紡績糸等を適宜目的に合わせて使用する。
【００２６】
地組織１は経編みカバーリング用布帛の形態を安定させるためのものであるため、寸法安定性の良好な糸であれば、公知のどのような糸であっても用いることができる。
【００２７】
地組織１編成と同時に地筬とは別筬でゴム糸５を導糸して基布全体に横方向に強い伸縮性を付与するのである。
【００２８】
ゴム糸５の挿入本数、間隔は出来上がり製品によって容易に変更可能である。
続いて回転する起毛ロールに基布を通し基布の片面にテンションを掛けながら針布で表面を掻きだして起毛させるのである。
【００２９】
基布そのものが、ドレープ性に富み、凹凸加工によって柔らかく肌触りが良好であり、横方向に優れた伸縮性を有する。
【００３０】
当該基布を略矩形状の袋状に形成し、矩形の少なくとも一辺にファスナー等の開閉手段を備えた製品が図２に示す布団カバー６である。布団カバー６の内側四隅にひも等を取り付けて布団の対応箇所に設けた輪状の取り付け部に係止して、ずれを防止することが好ましい。
【００３１】
布団カバーは袋状に形成しても良いし、また四隅にゴムを取り付けたボックス型布団カバーとしても良い。
【００３２】
さらに、表面に起毛加工が施されているため肌触りが柔く、基布全体に均一に生じた皺が空気層となって薄く軽量であっても、十分な保温力を発揮するのである。
【００３３】
製造商品の目的に合わせて、適宜使用糸、デニール、編み機種、ゲージを選択可能である。
【産業上の利用可能性】
【００３４】
本願の伸縮性に富んだカバーリング材は、寝具類はもちろん、座布団・クッションのカバーとして、また椅子やソファーなどのカバーとして応用が可能である。
【符号の説明】
【００３５】
１、編成組織    ２、鎖編み糸
３、挿入糸    ４、高伸縮糸
５、ゴム糸    ６、布団カバー
【図１】
2019034000.tif 000003
【図２】
2019034000.tif 000004